(57)【特許請求の範囲】
【請求項１】
衛星放送受信用の１次コンバータからの信号がアンテナケーブルを介して入力される入力端子と、
前記入力端子に入力された衛星放送信号を複数に分配して出力する分配器と、
前記分配器によって分配された信号をそれぞれ周波数変換して出力する２次コンバータを含み、前記１次コンバータからの衛星放送信号を受信可能な第１、第２の受信手段と、
第１の電源回路と、
前記第１の電源回路と前記分配器の入力側との間に設けられたスイッチを含み、前記スイッチをオンすることで前記第１の電源回路からの電圧を前記分配器の入力側に直接供給し、前記アンテナケーブルを通して前記１次コンバータに動作電圧を供給する手段と、
前記第１、第２の受信手段にそれぞれ動作電圧を供給するための第２、第３の電源回路と、
前記第２、第３の電源回路を制御して前記第１、第２の受信手段を選択的に動作状態に制御するとともに、前記制御により前記第１、第２の受信手段の少なくとも一方を動作状態としたときに前記スイッチをオンにして前記１次コンバータへ電源電圧を供給するように制御する制御手段と、を具備したことを特徴とする衛星放送受信装置。
【請求項２】
衛星放送受信用の１次コンバータからの信号がアンテナケーブルを介して入力される入力端子と、
前記入力端子に入力された衛星放送信号を複数に分配して出力する分配器と、
前記分配器によって分配された第１の信号を周波数変換して出力する２次コンバータを含み、前記１次コンバータからの衛星放送信号を受信可能なビデオテープレコーダ部と、
前記分配器によって分配された第２の信号を周波数変換して出力する２次コンバータを含み、前記１次コンバータからの衛星放送信号を受信可能なテレビ受像部と、
第１の電源回路と、
前記第１の電源回路と前記分配器の入力側との間に設けられたスイッチを含み、前記スイッチをオンすることで前記第１の電源回路からの電圧を前記分配器の入力側に直接供給し、前記アンテナケーブルを通して前記１次コンバータに動作電圧を供給する手段と、
前記ビデオテープレコーダ部と、前記テレビ受像部にそれぞれ動作電圧を供給するための第２、第３の電源回路と、
前記第２、第３の電源回路を制御して前記ビデオテープレコーダ部及び前記テレビ受像部を選択的に動作させるとともに、前記制御により前記ビデオテープレコーダ部及びテレビ受像部の少なくとも一方を動作状態としたときに前記スイッチをオンにして前記１次コンバータへ電源電圧を供給するように制御するマイクロコンピュータと、
を具備したことを特徴とするビデオテープレコーダ内蔵型のテレビジョン受像機。
【発明の詳細な説明】
【０００１】
【産業上の利用分野】
本発明は衛星放送を受信するための２次コンバータを複数有する衛星放送受信装置及びこの衛星放送受信装置を搭載したビデオテープレコーダ内蔵型のテレビジョン受像機に関する。
【０００２】
【従来の技術】
従来の衛星放送受信装置では、衛星放送を受信するための２次コンバータは１個でよく、装置内に複数備える必要性はなかった。これは、衛星放送を受信する機能を持ったテレビジョン受像機（以降ＴＶと略称する）、ビデオテープレコーダ（以降ＶＴＲと略称する）等の各機器では、それぞれ、視聴又は録画するだけの機能をもっていればよかったからである。即ち、ＴＶ又はＶＴＲが受信又は録画している衛星放送番組の信号以外の番組の衛星放送の信号を受信して、外部の機器へ出力する機能を持つ必要性がなかったためである。また、近年、ＶＴＲとＴＶの複合商品ができているが、ほとんどのセットが、衛星放送受信用の２次コンバータを１つ備えることで済ましている。
【０００３】
しかし、衛星放送受信装置の中には、２次コンバータを２つ備えたものもあるが、このような装置は図３に示すような構成を有している。即ち、屋外に設置された衛星放送受信用（ＢＳ）アンテナ１及び１次コンバータ２によって受信された衛星放送信号は、アンテナケーブル３によって屋内に引き込まれ、屋内に設置された衛星放送受信装置１００のアンテナ端子４を介して分配器５に入力されている。この分配器５に入力された１次コンバータからの信号は、それぞれの２個の２次コンバータ６、７に分配され、衛星放送が受信されるようになっている。しかし、前記分配器５は２つの出力端子５２、５３の内、一方の出力端子５２からのみ入力側５１へ電流を伝送できるタイプのため、１次コンバータ２への電源（ＬＮＢ）供給方法は、接続された２つの２次コンバータ６、７の内、一方の２次コンバータ６からのみ可能となり、他方の２次コンバータ７からは電源供給ができない構造となっている。
【０００４】
このため、電源供給側の２次コンバータ６は、例え受信状態でなくとも、もう一方の２次コンバータ７が受信動作可能となるように１次コンバータ２に対して電源を供給する必要があり、機器の動作中は常にこの電源供給側の２次コンバータ６を動作させていなければならなかった。従って、１次コンバータ２へ電源が供給できない方の２次コンバータ７のみを動作させて衛星放送を受信することができず、電源供給のためだけに両方の２次コンバータ６、７を動作させなければならなかった。ここで、８は機器全体の制御を行うマイクロコンピュータで、特にスイッチ１４、２次コンバータ６用の電源電圧を発生する電源回路１０及び２次コンバータ７用の電源電圧を発生する電源回路１１のオンオフ制御を行っている。主電源回路９はマイクロコンピュータ８、電源回路１０、１１に電源線を介して必要な電源を供給すると共に、スイッチ１４を介して１次コンバータ２へ電源を供給している。
【０００５】
従って、本例では衛星放送受信時には、必ずスイッチ１４がオンとなり、主電源回路９から発生された１次コンバータ２用の電源が２次コンバータ６のダイオードＤ、分配器５の出力側５２、ダイオードＤ、分配器５の入力側５１、アンテナ端子４及びアンテナケーブル３を介して１次コンバータ２に供給されている。又、マイクロコンピュータ８は２次コンバータ６が衛星放送を受信している場合は電源回路１０をオンとし、電源回路１１をオフとすることができるが、２次コンバータ６、７の両方又は２次コンバータ７のみが衛星放送を受信している場合、電源回路１０、１１の両方をオンとしなければならない。更に、１２は２次コンバータ６側の受信回路で、１３は２次コンバータ７側の受信回路である。
【０００６】
結局、上記のような構成の装置では、２次コンバータ７側のみで衛星放送を受信している状態でも、１次コンバータ２へ電源を供給する側の２次コンバータ６を動作状態としなければならず、この２次コンバータが消費する電力が余計に必要となってしまう。また、関連回路についても上記の状態が存在するため、２個の２次コンバータ６、７の動作を分離することが出来ない。このため、２次コンバータ６、７間での受信信号の相互干渉等の問題が生じる可能性があると共に、電源回路１０、１１等も完全に分離しにくくなっており、上記相互干渉を助長させる構成となっていた。
【０００７】
ところで、２次コンバータを２個でなく、３個以上の複数の２次コンバータを備えた装置でも、いままでは１次コンバータに電源供給可能な２次コンバータを常に動作させて１次コンバータへ電源を供給することにより、他の２次コンバータが前記１次コンバータからの信号を受ける構成となっていた。このような構成では、複数の２次コンバータをそれぞれ分離、独立して動作させたい場合でも、１次コンバータへの電源供給の関連上、各２次コンバータについて回路的、動作的に分離出来ない構造をとらなければならず、２次コンバータ間での受信信号の相互干渉が避けられないという欠点があった。又、複数の２次コンバータから１次コンバータ側へ電源を供給できるタイプの分配器もあるが、この場合、分配器自体のコストアップが避けられず、装置の価格が高くなってしまうという欠点があった。
【０００８】
【発明が解決しようとする課題】
衛星放送を受信するための２次コンバータを複数内蔵した衛星放送受信装置では、衛星放送受信用のアンテナ部に取り付けられた１次コンバータへの電源供給（ＬＮＢ）をアンテナケーブルを介して２次コンバータより行う方法を採り、且つ、１個の１次コンバータの出力を複数の２次コンバータへ分配する分配器を用いる時、通常使用されている分配器では、どれか１つの２次コンバータからのみ前記１次コンバータへ電源が供給される構成となっていた。従って、１次コンバータへ電源供給可能の２次コンバータは、機器動作中には常に動作していなくてはならなかった。このため、特に前記電源供給可能な２次コンバータは受信動作の必要がなくても１次コンバータへの電源供給のために動作させておく必要があり、この２次コンバータで消費される電力が無駄になると共に、この動作のために回路的にも各２次コンバータによって受信された信号を完全に分離することが困難になってしまうという欠点があった。又、複数の２次コンバータより１次コンバータへ電源供給が出来るタイプの分配器もあるが、分配器自体のコストが高いため、これを搭載する装置のコストが高くなってしまうという欠点があった。
【０００９】
そこで第１の発明は上記の欠点を除去し、受信に必要な２次コンバータのみを動作させて消費電力を少なくすることを目的とした衛星放送受信装置にある。又第２の発明は複数の２次コンバータに関わる周辺回路を完全に分離して各２次コンバータで受信した信号の干渉をなくすことができることを目的とした衛星放送受信装置にある。又、第３の発明は上記第１及び第２の発明を用いたビデオテープレコーダ内蔵型のテレビジョン受像機を提供することを目的としている。
【００１０】
請求項１記載の衛星放送受信装置は、衛星放送受信用の１次コンバータからの信号がアンテナケーブルを介して入力される入力端子と、
前記入力端子に入力された衛星放送信号を複数に分配して出力する分配器と、
前記分配器によって分配された信号をそれぞれ周波数変換して出力する２次コンバータを含み、前記１次コンバータからの衛星放送信号を受信可能な第１、第２の受信手段と、
第１の電源回路と、
前記第１の電源回路と前記分配器の入力側との間に設けられたスイッチを含み、前記スイッチをオンすることで前記第１の電源回路からの電圧を前記分配器の入力側に直接供給し、前記アンテナケーブルを通して前記１次コンバータに動作電圧を供給する手段と、
前記第１、第２の受信手段にそれぞれ動作電圧を供給するための第２、第３の電源回路と、
前記第２、第３の電源回路を制御して前記第１、第２の受信手段を選択的に動作状態に制御するとともに、前記制御により前記第１、第２の受信手段の少なくとも一方を動作状態としたときに前記スイッチをオンにして前記１次コンバータへ電源電圧を供給するように制御する制御手段と、を具備したことを特徴とする。
また、請求項２のビデオテープレコーダ内蔵型のテレビジョン受像機は、衛星放送受信用の１次コンバータからの信号がアンテナケーブルを介して入力される入力端子と、
前記入力端子に入力された衛星放送信号を複数に分配して出力する分配器と、
前記分配器によって分配された第１の信号を周波数変換して出力する２次コンバータを含み、前記１次コンバータからの衛星放送信号を受信可能なビデオテープレコーダ部と、
前記分配器によって分配された第２の信号を周波数変換して出力する２次コンバータを含み、前記１次コンバータからの衛星放送信号を受信可能なテレビ受像部と、
第１の電源回路と、
前記第１の電源回路と前記分配器の入力側との間に設けられたスイッチを含み、前記スイッチをオンすることで前記第１の電源回路からの電圧を前記分配器の入力側に直接供給し、前記アンテナケーブルを通して前記１次コンバータに動作電圧を供給する手段と、
前記ビデオテープレコーダ部と、前記テレビ受像部にそれぞれ動作電圧を供給するための第２、第３の電源回路と、
前記第２、第３の電源回路を制御して前記ビデオテープレコーダ部及び前記テレビ受像部を選択的に動作させるとともに、前記制御により前記ビデオテープレコーダ部及びテレビ受像部の少なくとも一方を動作状態としたときに前記スイッチをオンにして前記１次コンバータへ電源電圧を供給するように制御するマイクロコンピュータと、
を具備したことを特徴とする。
【００１１】
【作用】
請求項１の衛星放送受信装置では、第１の電源回路と分配器の入力側との間に設けたスイッチをオンすることで第１の電源回路からの電圧を分配器の入力側に直接供給することができる。また、第１、第２の受信手段のうち選択した受信手段のみを動作状態に制御し、かつ少なくとも一方の受信手段が動作状態にあるときは前記スイッチをオンにして１次コンバータへ電源電圧を供給するように制御している。したがって希望する受信手段のみを動作させることができ、消費電力を低減し、受信手段間の相互干渉を減らすことができる。
また請求項２のビデオテープレコーダ内蔵型のテレビジョン受像機も同様に、
消費電力を低減し、ビデオテープレコーダ部又はテレビ受像部の相互干渉を減らすことができる。
【００１２】
【実施例】
以下、本発明の一実施例を図面を参照して説明する。図１は本発明の衛星放送受信装置の一実施例を示したブロック図である。１は衛星放送受信用（ＢＳ）アンテナ、２はＢＳアンテナに近接配置されて衛星放送信号を受信する１次コンバータ、３は１次コンバータ２と衛星放送受信装置１００のアンテナ端子４を接続するアンテナケーブル、５は１次コンバータ２により受信した信号を複数の２次コンバータに分配する分配器、６、７は１次コンバータ２により受信した信号を周波数変換する２次コンバータ、８は装置全体の動作を制御するマイクロコンピュータ、９は装置全体へ供給する電源電圧を発生する主電源回路、１０は２次コンバータ６に供給する電源電圧を発生する電源回路、１１は２次コンバータ７に供給する電源電圧を発生する電源回路、１２、１３は２次コンバータ６、７により受信された信号に各種処理を施す受信回路、１４は１次コンバータ２に供給する電源をオン、オフするスイッチである。
【００１３】
次に本実施例の動作について説明する。屋外に設置されたＢＳアンテナ１で放送用静止衛星からの電波を受信し、アンテナ近傍に設けられた１次コンバータ２によって受信された衛星放送信号はアンテナケーブル３を伝送して屋内へ引き込まれ、屋内に設置されている衛星放送受信装置１００のアンテナ端子４を介して分配器５の入力側５１に入力される。分配器５は入力側５１に入力された前記信号を出力側５２、５３に接続された２次コンバータ６、７に分配する。一方、１次コンバータ２が動作するために必要な電源（ＬＮＢ）は前記分配器５の入力側５１からアンテナケーブル３を通して１次コンバータ２へ供給される。
【００１４】
即ち、マイクロコンピュータ８は２次コンバータ６、７のいずれか一方、又は両方が受信動作している場合、スイッチ１４をオンとして主電源回路９から発生される１次コンバータ２用の電源を分配器５内のダイオードＤ、分配器５の入力側５１、アンテナ端子４及びアンテナケーブル３を通して１次コンバータ２に供給する。又、マイクロコンピュータ８は２次コンバータ６、７を動作させる時、当然のことながら対応する電源回路１０、１１を動作させて、２次コンバータを動作させる電源を供給する。
【００１５】
本実施例によれば、１次コンバータ２への電源供給（ＬＮＢ）は、主電源回路９から直接分配器５の入力側５１に送られた電源をアンテナケーブル３を通して供給できる（電源導入回路）構成のため、２次コンバータ６、７及びこれらコンバータの周辺機器は衛星放送を受信する側のみ動作させればよく、それぞれの２次コンバータ動作のための共通回路部分としては、分配器５の回路ブロックのみとなり、これ以外の回路部分をそれぞれ分離、独立動作させることができ、２次コンバータ６、７間での受信信号の相互干渉を防止して、衛星放送受信画像の品質を向上させることができる。また、分配器５内の部品点数は従来例のものに比べて変わらず、２次コンバータは１次コンバータ２へ電源供給するための回路が不必要となり、２次コンバータ６を安価にすることができ、装置１００のコストダウンにつなげることができる。しかも、複数の２次コンバータを使用する場合、同一構成の２次コンバータ（従来は最低１つの２次コンバータは１次コンバータへの電源供給回路をもっていなければいけなかった）を使用でき、更に装置１００のコストダウンを図ることができる。更に、分配器５内に電力供給回路を有するため、例えば、外部からの雷サージ等に対しても、これを分配器５から電源回路９へ逃がすことができるため、２次コンバータ６、７や以降の回路へのダメージを防ぐことができる。又、本例の分配器５は従来の２次コンバータから１次コンバータへの電源通過タイプと同様の部品点数で作成可能のため、ここの部分のコストアップは特にない。
【００１６】
図２は上記した衛星放送受信装置１００を搭載したＶＴＲ内蔵型のテレビジョン受像機の一実施例を示したブロック図である。本例では、図１に示した衛星放送受信装置を搭載し、２次コンバータ６の受信信号がテレビ受像部５０に、２次コンバータ７の受信信号がＶＴＲ部６０に供給されている。従って、２次コンバータ６はＴＶの視聴専用、２次コンバータ７はＶＴＲの録画専用となっている。尚、これらテレビ受像部５０とＶＴＲ部６０の動作には関連動作もあるため、例えば、ＶＴＲの再生時にはＴＶの入力をＶＴＲからの信号に切り換える動作を切替回路２１により行うマイクロコンピュータ８を共通としている。従って、本例では、常に動作する共通部分として、ＬＮＢ及びマイクロコンピュータ８用の共通電源回路１５である。マイクロコンピュータ８はＶＴＲ部６０のタイマ録画等やリモコンでの電源コントロールを制御しなければならないため、常に動作しているが、ＶＴＲ内蔵型テレビジョン受像機２００内の共通電源回路１５から分配器５を介して１次コンバータ２へＬＮＢ用電源を供給するＬＮＢ供給回路は、マイクロコンピュータ８によってオン／オフの制御がなされる。
【００１７】
本実施例も、若干の共通回路部分を除いて、テレビ受像部５０とＶＴＲ部６０はそれぞれ独立動作が可能で、例えば、テレビ受像部５０のみの動作の時は、ＶＴＲ部６０を動作させなくて済み、また、同様に、例えばタイマ録画等にＶＴＲ部６０のみを動作させる時は、テレビ受像部５０側を一切動作させなくてよいため、回路動作状態での消費電力は必要最低限に抑えることができる。更に、回路ブロックもそのほとんどが、テレビ受像とＶＴＲの動作に関連した内容で分離することができ、テレビ受像部５０とＶＴＲ部６０各々からの相互干渉、例えば、電源の共有によるアース廻り及び電源廻りのノイズや、ＬＮＢ供給のための非受信動作の２次コンバータ動作による他の２次コンバータへの影響をなくすことができ、この種の受像機の性能を向上させることができる。
【００１８】
【発明の効果】
以上記述した如く請求項１記載の本発明の衛星放送受信装置によれば、受信に必要な２次コンバータのみを動作させて消費電力を少なくするとことができる。又、２次コンバータに１次コンバータ電源供給回路を設ける必要がなくなり、全ての２次コンバータを電源供給回路がないものとすることができ、装置を安価に構成することができる。又、請求項２記載の衛星放送受信装置によれば複数の２次コンバータに関わる周辺回路を完全に分離して各２次コンバータで受信した信号の干渉をなくすことができる。又、請求項３記載のビデオテープレコーダ内蔵型のテレビジョン受像機を用いればテレビ受像とＶＴＲの動作に関連した内容で分離することができ、テレビ受像部５０とＶＴＲ部６０各々からの相互干渉やＬＮＢ供給のための非受信動作の２次コンバータ動作による他の２次コンバータへの影響をなくすことができる。
【図面の簡単な説明】
【図１】本発明の衛星放送受信装置の一実施例を示したブロック図。
【図２】図１に示した衛星放送受信装置を搭載したＶＴＲ内蔵型のＴＶの一実施例を示したブロック図。
【図３】従来の衛星放送受信装置の一例を示したブロック図。
【符号の説明】
１…ＢＳアンテナ                    ２…１次コンバータ
３…アンテナケーブル                ４…アンテナ端子
５…分配器                          ６、７…２次コンバータ
８…マイクロコンピュータ            ９…主電源回路
１０、１１…電源回路                １２、１３…受信回路
１４…スイッチ                      １００…衛星放送受信装置
Ｄ…ダイオード
【図１】
0003597553.tif 000002
【図２】
0003597553.tif 000003
【図３】
0003597553.tif 000004